(57)【特許請求の範囲】
【請求項１】
苗木を保護するための苗木保護カバーであって、前記苗木の周囲に被せられ且つ下方側面の一部に除草用の開口穴が形成される筒状の本体と、この本体の外側にスライド自在に嵌合し且つ前記開口穴を遮蔽または開放自在なスライド体を備え、このスライド体のうち、前記開口穴に重合する部分には、空気が流通可能な小孔が設けられることを特徴とする苗木保護カバー。
【請求項２】
請求項１に記載の苗木保護カバーにおいて、前記本体には、前記スライド体が開口穴を開放した時、該スライド体の一部に係合してその位置を固定する係止部が設けられることを特徴とする苗木保護カバー。
【発明の詳細な説明】
【０００１】
【発明の属する技術分野】
本発明は、苗木を保護するため苗木の周囲に被せる筒状の保護カバーにおいて、苗木の周囲の雑草除去を容易にし且つ苗木の育成に適した環境造りを行うための技術に関する。
【０００２】
【従来の技術】
従来、例えば山林等に植樹した苗木を野生動物等から保護するため、植樹した苗木の周囲を筒状の保護カバーで覆うような技術が知られており、このような技術では、図４に示すように、苗木Ｎの植付けが終えた後、この周囲を囲うように筒状の保護カバー５１を被せ、必要に応じて下端の一部に土盛りして土中に埋め込むとともに、この保護カバー５１を、近くに立設した支柱５２等に対して固定することで、鹿やウサギやネズミ等の野生動物による食害から保護するようにしている。
【０００３】
【発明が解決しようとする課題】
ところで、このように苗木Ｎの周囲を筒状の保護カバー５１で覆うと、保護カバー５１内で雑草が繁茂しても除草するために支柱５２から保護カバー５１を取外して行わなければならないため作業に手間がかかり、放置しておくと雑草に養分を取られて苗木Ｎの成長が悪くなるという問題がある。
また日射等の影響の強い昼間と夜間との間で保護カバー５１内の温度差が激しくなる傾向になり、苗木Ｎの育成にとって悪影響を与えがちである。
【０００４】
そこで本発明は、保護カバー内の雑草を簡単に除去出来るようにし、また保護カバー内の昼夜間等の温度差を少なくして苗木の育成に適した環境造りを行うことを目的とする。
【０００５】
【課題を解決するための手段】
上記目的を達成するため本発明は、苗木を保護するための苗木保護カバーにおいて、苗木の周囲に被せられ且つ下方側面の一部に除草用の開口穴が形成される筒状の本体と、この本体の外側にスライド自在に嵌合し且つ前記開口穴を遮蔽または開放自在なスライド体を設け、このスライド体のうち、前記開口穴に重合する部分には、空気が流通可能な小孔を設けるようにした。
【０００６】
そして、通常はスライド体で開口穴を遮蔽するようにし、必要に応じてスライド体をスライドさせるだけで、筒状本体の開口穴を開放出来るようにして、例えばこの開口穴を利用して雑草を除去出来るようにすれば、本体の位置をずらすような手間をかけることなく容易に雑草を除去することが可能である。
このため、除草用の開口穴の大きさや形状等は、例えば手の一部を挿し込んで除草が出来る程度の最小限の大きさや形状等にし、あまりサイズを大きくし過ぎることによる強度低下等を防止するよう留意する。
【０００７】
また、スライド体に小孔を形成し、スライド体で開口穴を覆った時に、この小孔が開口穴の位置に臨むようにすることで、筒状本体の空気と外気を積極的に流通させれば、例えば昼間と夜間等の温度差を少なくすることが出来、苗木の育成環境を良好にすることが出来る。
因みに、筒状本体の上部は開口しているが、苗木に近い下方の空気を外気と流通させれば、苗木附近の温度をより均一にすることが出来る。
【０００８】
ここで、小孔の形状は任意であり、例えば丸孔でも角孔でもスリット孔でもその他の形状の孔でも良いが、野生動物が角や爪等を引掛けて不具合が生じないように留意し、またサイズについては、野生動物の食害等の不具合を避けるためあまり大きくすることは好ましくない。
【０００９】
因みに、前記本体とスライド体は、合成樹脂から成形すれば必要な強度を容易に確保できるとともに、安価に構成することができ、しかも日射を遮らないようにすることも容易であり、好適である。
また筒状本体とスライド体の断面形状は任意であり、断面多角形状にしても、断面円形にしても、その他の断面形状にしても良い。
【００１０】
また請求項２では、前記本体には、スライド体が開口穴を開放した時、スライド体の一部に係合してその位置を固定する係止部を設けるようにした。
【００１１】
そして、スライド体をスライドさせて開口穴を開放したとき、スライド体の一部を係止部に係合させてその位置に固定するようにすれば、除草作業を行うときにスライド体が邪魔にならず、楽に除草作業を行うことが出来る。
【００１２】
この際、除草用の開口穴は、本体のうち、地面に近い下端部寄りに設定されるのが普通であり、このためスライド体をスライドさせて開口穴を開放するときは、スライド体を開口穴の上方に移動させるのが一般的であるため、例えば係止部はスライド体の落下を防止するような位置や形状等に形成し、例えば開口穴の上部の本体の一部に切込み部等を形成し、この切込み部にスライド体の下端側部分を差込んで係止するようにしても良く、その他の方式で係止するようにしても良い。
【００１３】
【発明の実施の形態】
本発明の実施の形態について添付した図面に基づき説明する。
ここで図１は本発明に係る苗木保護カバーの斜視図で、スライド体によって開口穴を遮蔽した状態図、図２は同苗木保護カバーの斜視図で、スライド体を移動させて開口穴を開放した状態図、図３は苗木保護カバーの縦断面図である。
【００１４】
本発明に係る苗木保護カバー１は、例えばスギやヒノキやその他の広葉樹等の苗木を植樹した際、野生動物等の食害から苗木を保護するため、植樹された苗木の周囲を囲うように設置され、図１に示すように、苗木の周囲に被せられる合成樹脂製の筒状本体２と、この本体２の外面にスライド自在に嵌合する合成樹脂製のスライド体３を備え、本体２の下方部には除草用の開口穴２ｈが設けられるとともに、スライド体３はこの開口穴２ｈを遮蔽、開放自在にされている。
【００１５】
前記本体２は、例えばポリプロピレン（ランダムポリプロピレン、ブロックポリプロピレン、シンジオタクチックポリプロピレン）、ポリエチレン（高密度ポリエチレン、中密度ポリエチレン、低密度ポリエチレン）、エチレンと、エチレンと共重合可能なモノマーとの共重合体であるエチレン系共重合体等のポリオレフィン、または硬質または半硬質ポリ塩化ビニル、またはオレフィン系モノマーと塩化ビニルモノマーとの共重合合成樹脂、またはこれらの混合物等から構成され、実施形態では断面六角形の筒型とされ両端部が開放している。
因みに、このような断面六角形の筒型にしているのは、運搬時等に平らに押し潰して取り扱えば、容積を少なくして効率的に運搬等が出来るからであり、他の多角形でも良く、また現場で簡易に筒型に出来るならば断面円形でも、その他の形状でも良い。
【００１６】
そして、実施形態では、上端開口部の端部を鋭利にしておけば、成長した苗木の枝等が接触した際に鋭利な部分で損傷するおそれがあるため、図３にも示すように、所定長さ分内側に折り返して、折返し端部を切り込み孔に差込むことで開口端部附近を滑らかにするようにし、苗木の枝等が開口部端部に接触して損傷するのを防止している。
因みに、この本体２の実施形態の寸法は、例えば高さが約１８００ｍｍ、内径（コーナ部の対角線長さ）が約１２０ｍｍ程度にしている。
【００１７】
この本体２に形成される開口穴２ｈは、実施形態では周囲六平面領域のうち隣接する二平面領域に亘って形成される（もちろん、一平面に形成しても良いものである）とともに、手を挿し込んで本体２内部の雑草を引抜くことが出来るようなサイズにされており、例えば横方向の短径が約６〜１０ｍｍ程度、縦方向の長径が約１５〜２５ｍｍ程度の楕円形にされている。
【００１８】
前記スライド体３は、本体２の断面形状より一回り大きめの断面六角形状にされ、本体２に対して長手方向に摺動自在に嵌装されるとともに、開口穴２ｈを塞ぐことの出来る大きさにされている。
そしてこのスライド体３も、例えば本体２と同様の材料の合成樹脂から成形されている。
【００１９】
またこのスライド体３のうち、開口穴２ｈを覆ったときに開口穴２ｈに重なり合う部分には、複数の小孔３ｒが設けられ、この小孔３ｒを通して空気の流通が可能とされている。
そしてこの小孔３ｒは、野生動物の食害等の影響を受けないよう、比較的サイズの小さい孔にするとともに、実施形態では上部側が開かれる略コの字型のルーバ状の孔として形成され、シカ等が角で引掛けて倒したりするような不具合が生じないようにしている。
【００２０】
また、このスライド体３を上方にスライドさせて開口穴３ｈを開放した際、スライド体３が下方に落下しないよう、開口穴２ｈより上部の本体２には、係止部としての切込み部ｓを設けるとともに、スライド体３の下辺部には差込み用突起ｔを形成している。
尚、実施形態では、スライド体３の差込み用突起ｔを上辺側にも形成し、スライド体３の向きをどちら側に向けても適用出来るようにしている。
【００２１】
次に、以上のような苗木保護カバー１の作用等について説明する。
図１に示すように、苗木Ｎを植樹すると、この苗木Ｎの周囲を覆うように本体２を被せ、必要に応じてその周囲に支柱４を立設し、この支柱４に本体２を縛り付ける等によって固定する。
この際、必要に応じて本体２の下端部の一部を地面に埋め込むようにし、ネズミ等の小動物が入り込むのを防止する。
【００２２】
そして、通常時はスライド体３を下方にスライドさせ、開口穴２ｈを覆うようにする。
【００２３】
こうすることで、苗木Ｎは野生動物からの食害から保護され、しかもスライド体３の小孔３ｒによって本体２内の温度差が抑制され、苗木Ｎは順調に生育する。
【００２４】
植栽後、本体２内で雑草が茂るようになると、放置すれば養分を雑草に吸い取られて苗木Ｎの成長に悪影響を与えるため、雑草を除去することが好ましい。
この際、作業者は図２に示すように、スライド体３を上昇させて開口穴２ｈを開放し、下方の差込み用突起ｔを切込み部ｓに差込んで固定した状態にして、開口穴２ｈを通して除草する。
【００２５】
こうすることで、簡単に除草することが出来、除草作業を終えれば、スライド体３の差込み用突起ｔを切込み部ｓから外して、スライド体３を下方にスライドさせれば、開口穴２ｈは塞がれて食害から保護される。
【００２６】
尚、本発明は以上のような実施形態に限定されるものではない。本発明の特許請求の範囲に記載した事項と実質的に同一の構成を有し、同一の作用効果を奏するものは本発明の技術的範囲に属する。
例えば本体２の形状や素材等は任意であり、また、開口穴２ｈの形状や小孔３ｒの形状等も任意である。
【００２７】
【発明の効果】
以上のように本発明に係る苗木保護カバーは、苗木の周囲に被せられる本体の下方の一部に除草用の開口穴を形成し、この本体の外側にスライド自在に嵌合するスライド体によって開口穴を遮蔽または開放自在にするとともに、このスライド体に、空気が流通可能な小孔を設けるようにしたため、本体内の温度差を少なくして苗木の育成に適した環境造りが行われるとともに、開口穴を通して簡単に本体内の雑草を除去することが出来、便利である。
また請求項２のように、本体に、スライド体が開口穴を開放した時、スライド体の一部に係合してその位置を固定する係止部を設ければ、除草作業を楽に行うことが出来る。
【図面の簡単な説明】
【図１】本発明に係る苗木保護カバーの斜視図で、スライド体によって開口穴を遮蔽した状態図
【図２】同苗木保護カバーの斜視図で、スライド体を移動させて開口穴を開放した状態図
【図３】苗木保護カバーの縦断面図
【図４】苗木保護カバーの従来図
【符号の説明】
１…保護カバー、２…本体、２ｈ…開口穴、３…スライド体、３ｒ…小孔、ｓ…切込み部。
【図１】
0003982939.tif 000002
【図２】
0003982939.tif 000003
【図３】
0003982939.tif 000004
【図４】
0003982939.tif 000005